(57)【要約】      （修正有）【課題】人が呼吸するのに適した健康に良いガスを発生するガス発生器を提供する。【解決手段】ガス発生器１は、電解槽１２、復水ろ過装置１４、及び噴霧化装置１６を有する。電解槽は、電解水を電解し、水素を有するガスを発生するために用いられる。復水ろ過装置が、ガス経路、ろ過器、及び分離構成要素を有し、分離構成要素が、ガス経路内のろ過器の動作を制限するために用いられ、電解槽から発生するガスが、ろ過された水素を有するガスを発生するために、液化されると共に、ろ過器を介してろ過され、噴霧化装置が、ろ過ガスと混合されるべき噴霧ガスを発生し、健康に良いガスを発生するために、用いられ、噴霧ガスと混合されるべき、ろ過された水素を有するガスから電解質を除去し、健康に良いガスを発生するために、復水ろ過装置。【選択図】図２
2018031070.tif 000002
【特許請求の範囲】
【請求項１】
電解質を含む電解水を収容する電解槽であり、電解水を電解して、水素を有するガスを発生するために用いられる電解槽；
ガス経路、ろ過器、及び分離構成要素を有する復水ろ過装置であり、前記ガス経路は、前記水素を有するガスを受けるために用いられ、かつ、前記ろ過器は、前記水素を有するガスをろ過して、ろ過された水素を有するガスを発生するために、前記ガス経路内に構成され、かつ、前記分離構成要素は、前記ガス経路内の前記ろ過器の動作を制限するために、前記復水ろ過装置内に構成される、復水ろ過装置；並びに
前記ろ過された水素を有するガスを受けるための噴霧化装置であり、前記ろ過された水素を有するガスと混合されるべき噴霧ガスを更に発生して、健康に良いガスを発生する噴霧化装置：
を有するガス発生器。
【請求項２】
前記分離構成要素は、分離した立方体または経路バリアシートである、請求項１に記載のガス発生器。
【請求項３】
前記復水ろ過装置は、ガス経路の上面カバー及びガス経路の下面カバーを有し、かつ、前記ガス経路の上面カバーは、前記ガス経路の下面カバー上に構成され、かつ、前記ガス経路は、前記ガス経路の上面カバーが前記ガス経路の下面カバーと結合されると、形成される、請求項２に記載のガス発生器。
【請求項４】
前記ガス経路の下面カバーは、経路基板を有し、かつ、前記経路バリアシートは、前記経路基板上に構成され、かつ、前記復水ろ過装置上で曲がりくねって分配される前記ガス経路は、前記ガス経路の上面カバーが前記ガス経路の下面カバーと結合されると、形成される、請求項３に記載のガス発生器。
【請求項５】
前記経路基板及び前記分離構成要素は、１つの工程により一体成形される、請求項４に記載のガス発生器。
【請求項６】
前記ろ過器は、複数のろ過膜を有する、請求項１に記載のガス発生器。
【請求項７】
前記復水ろ過装置は、吸気口及び排気口を有し、かつ、前記吸気口及び前記排気口は、それぞれ前記ガス経路に接続され、かつ、前記水素を有するガスは、前記吸気口を介して前記ガス経路に入り、かつ、前記排気口は、前記ろ過された水素を有するガスを排出するために用いられる、請求項１に記載のガス発生器。
【請求項８】
前記分離構成要素は、前記ガス経路内における前記ろ過器の動作を制限することにより、前記ろ過器が、前記吸気口または前記排気口に流入することを防止するために用いられる、請求項７に記載のガス発生器。
【請求項９】
前記ろ過器は、アスベストである、請求項１に記載のガス発生器。
【請求項１０】
前記復水ろ過装置及び前記噴霧化装置間に接続された加湿装置を更に有し、前記加湿装置は、前記排気口から受ける前記ろ過された水素を有するガスを更に加湿及びろ過すると共に、前記ろ過された水素を有するガスを前記噴霧化装置へ排出するために用いられる、請求項１に記載のガス発生器。
【発明の詳細な説明】
【技術分野】
【０００１】
本願発明は、ガス発生器に関し、より具体的には、本願発明は、ガス発生器から発生するガス内の電解質を除去する機能を有するガス発生器に関する。
【背景技術】
【０００２】
人々は、常に、健康増進に対して多大な注意を払っている。医療技術の発達の多くは、疾患治療や長寿命化を対象とするものである。しかしながら、過去における治療の大半は、疾患が生じた時に疾患を治療することのみを意味する受動的なものである。これらの方法は、手術、薬物治療、放射線治療、慢性疾患治療、リハビリテーション、矯正治療、または、癌治療さえも含む。しかしながら、近年では、医療専門家による研究の多くは、将来起こる疾患を能動的に予防する、例えば、健康食品、遺伝性疾患の検査及び予防の研究等の予防医療の方法に向かって、徐々に進みつつある。長寿命化が注目されるが故に、スキンケア製品及び抗酸化食品／医薬品を含む、多くの抗老化（アンチエイジング）及び抗酸化の技術は、次第に発展しつつあり、また、公衆にもますます普及しつつある。
【０００３】
人体内に、遊離基としても知られる不安定酸素種（Ｏ＋）が存在するという研究結果が発表された。通常、遊離基は、疾患、食生活、環境、及び、その人の生活様式に起因して生成されるが、吸入水素との反応により水の形態で排出可能である。この手法により、人体内における遊離基の量は減少可能であり、これにより、酸性状態からアルカリ性状態へ体調が回復し、抗酸化、抗老化、及び美容健康効果が達成され、かつ、慢性疾患さえ解消される。更に、高濃度の酸素を長時間吸入する必要のある患者は、肺障害を引き起こすであろうが、その肺障害は、水素を吸入することにより改善可能であることを示す臨床実験も存在する。
【０００４】
しかしながら、電解水を電解することにより発生する水素を有するガスは、通常、高温であり、電解質を有する。このガスは、人が直接呼吸するのには適さない。加えて、利用者が健康に良いガスを呼吸したい場合には、水素を有するガスは、健康に良いガスを生成するために、別の装置により、噴霧ガスまたは揮発性精油と混合される必要があるであろう。これにより、従来の電解装置を使用する際の利便性が損なわれる。
【発明の概要】
【０００５】
従って、本願発明は、ガス発生器を提供するものである。最初に、ガス発生器は、液体水を電解し、水素を有するガスを発生する。その後、ガス発生器は、水素を有するガスを液化し、水素を有するガス内の電解質をろ過して除去する。その後、ガス発生器は、水素を有するガスを噴霧ガスと混合させて、人が呼吸するのに適した健康に良いガスを発生する。
【０００６】
本願発明は、電解槽、復水ろ過装置、及び噴霧化装置を有するガス発生器を提供する。電解槽は電解水を含み、電解水は電解質を含む。電解槽は、電解水を電解し、水素を有するガスを発生するために用いられる。復水ろ過装置は、ガス経路、ろ過器（フィルタ）、及び分離構成要素を有する。ガス経路は、水素を有するガスを受けるために用いられる。ろ過器は、水素を有するガスをろ過して、ろ過された水素を有するガスを発生するために、ガス経路内に構成される。分離構成要素は、ガス経路内のろ過器の動作を制限するために、復水ろ過装置内に構成される。噴霧化装置は、ろ過された水素を有するガスを受けるために用いられ、噴霧化装置は更に、健康に良いガスを発生するために、ろ過された水素を有するガスと混合されるべき噴霧ガスを発生する。
【０００７】
分離構成要素は、分離した立方体または経路バリアシートであってもよい。復水ろ過装置は、吸気口及び排気口を有し、吸気口及び排気口は、それぞれガス経路に接続される。水素を有するガスは、吸気口を介してガス経路に入る。排気口は、ろ過された水素を有するガスを排出するために用いられる。分離構成要素は、ガス経路内におけるろ過器の動作を制限することにより、ろ過器が、吸気口または排気口に流入することを防止するために用いられる。本願発明の“制限する”という用語は、“固定する”と同義ではなく、ろ過器の動作の程度を減少させることであることが理解されるべきである。ここで、復水ろ過装置は、ガス経路の上面カバー、及びガス経路の下面カバーを有する。ガス経路の上面カバーは、ガス経路の下面カバー上に構成され、かつ、ガス経路は、ガス経路の上面カバーがガス経路の下面カバーと結合される時に、形成される。
【０００８】
加えて、ガス経路の下面カバーは、経路基板を有し、かつ、経路バリアシートは、経路基板上に構成される。ガス経路の上面カバーが、ガス経路の下面カバーと結合されると、復水ろ過装置上で曲がりくねって分配されるガス経路が形成される。更に、経路基板及び分離構成要素は、１つの工程により一体成形される。その上、ろ過器は、複数のろ過膜を有し、各ろ過膜は、分離構成要素により制限される。
【０００９】
本願発明のガス発生器は、復水ろ過装置及び噴霧化装置間に接続された加湿装置を更に有する。加湿装置は、排気口から受けるろ過された水素を有するガスを更に加湿及びろ過すると共に、ろ過された水素を有するガスを噴霧化装置へ排出するために用いられる。
【００１０】
上述の説明を要約すると、本願発明は、ガス発生器を提供することに重点を置くものである。本願発明のガス発生器において、電解槽により発生される水素を有するガスは、液化されて、復水ろ過装置により、電解質をろ過して除去され、その後、水素を有するガスは、人が呼吸するのに適した健康に良いガスを発生するために、噴霧化装置の発生する噴霧ガスと混合される。更に、本願発明のガス発生器は、復水ろ過装置及び噴霧化装置間に接続された加湿装置を有する。加湿装置は、更に、水素を有するガス内の不純物を除去し、人の呼吸により適した健康に良いガスを提供するために用いられる。
【００１１】
本願発明の効果及び主旨は、添付図面を参照した以下の記載により、理解することができる。
【００１２】
幾つかの実施形態は、同様の符号は同様の部材を示す、以下の図面を参照しながら、詳細に説明されるであろう：
【図面の簡単な説明】
【００１３】
【図１】図１は、本願発明の一実施形態におけるガス発生器の模式図を示す。
【図２】図２は、本願発明の一実施形態におけるガス発生器の復水ろ過装置及び電解槽の模式図を示す。
【図３】図３は、本願発明の一実施形態におけるガス発生器の復水ろ過装置の分解図を示す。
【図４】図４は、本願発明の一実施形態におけるガス発生器の電解槽の分解図を示す。
【図５】図５は、本願発明の一実施形態におけるガス発生器の電解槽上方の装置の分解図を示す。
【図６】図６は、本願発明の一実施形態におけるガス発生器のガス経路の下面カバーの模式図を示す。
【発明を実施するための形態】
【００１４】
開示された装置及び方法についての後述の実施形態の詳細な説明は、例示であり限定されない手段により、図面を参照しながら、本明細書において提供される。ある実施形態について詳細に図示及び説明するが、添付の請求範囲から逸脱しない限り、様々な変形態様及び改良態様を採り得ることが理解されるべきである。本願発明の範囲は、本願発明の実施形態の単なる一例として開示された、構成要素の数、構成要素の素材、構成要素の形状、構成要素の相対的配置等に、決して制限されないであろう。
【００１５】
図１、図２、及び図３を参照下さい。図１は、本願発明の一実施形態におけるガス発生器１の模式図を示し、図２は、本願発明の一実施形態におけるガス発生器１の復水ろ過装置１４及び電解槽１２の模式図を示し、図３は、本願発明の一実施形態におけるガス発生器１の復水ろ過装置１４の分解図を示す。本願発明のガス発生器１は、電解槽１２、復水ろ過装置１４、及び噴霧化装置１６を有する。電解槽１２は電解水を含み、電解水は電解質を含み、かつ、電解槽１２は、電解水を電解し、水素を有するガスを発生するために用いられる。復水ろ過装置１４は、ガス経路１４１、ろ過器１４２、及び分離構成要素１４３を有する。ガス経路１４１は、水素を有するガスを受けるために用いられる。ろ過器１４２は、水素を有するガスをろ過して、ろ過された水素を有するガスを発生するために、ガス経路１４１内に構成される。分離構成要素１４３は、ガス経路内のろ過器の動作を制限するために、復水ろ過装置１４内に構成される。噴霧化装置１６は、ろ過された水素を有するガスを受けるために用いられ、噴霧化装置１６は更に、健康に良いガスを発生するために、ろ過された水素を有するガスと混合されるべき噴霧ガスを発生する。加えて、分離構成要素１４３は、分離した立方体１４３１または経路バリアシート１４３２であってもよい。
【００１６】
図４を参照下さい。図４は、本願発明の一実施形態におけるガス発生器１の電解槽１２の分解図を示す。電解槽１２は、タンク１２１、電解処理装置１２２、及び電解槽１２３の上方カバーを有する。タンク１２１は、電解質を含む電解水を有し、電解質は、限定されないが、水酸化ナトリウムであってもよい。実際の適用においては、電解質は、炭酸カルシウムまたは塩化ナトリウムであってもよい。更に、電解質は、水酸化ナトリウムの食品等級であってもよい。電解処理装置１２２は、タンク１２１内の電解水を電解するために、タンク１２１内に構成される。ここで、電解処理装置１２２は、固定板により、タンク１２１内に構成されるものとしてもよい。電解処理装置１２２は、複数の電極により組み立て可能であり、該複数の電極はそれぞれ、電解処理装置１２２内に間隔を空けて配置され、電解水を電解することにより水素を有するガスの発生を高速化するための複数の電極チャネルを形成する。電解槽１２３の上方カバーは、他の構成要素から電解水を分離するために、タンク１２１上に構成される。ここで、電解槽１２３の上方カバーは、電解槽１２から電解水を電解することにより発生された水素を有するガスを排出するための電解槽１２３１の排気口を有する。
【００１７】
本実施形態において、電解槽１２は、電解槽１２内の空焚きの危険を回避するために、タンク１２内の電解水の残りの水位を検知及び警告するための水位計１２４を更に有するものとしてもよい。
【００１８】
図５を参照下さい；図５は、本願発明の一実施形態におけるガス発生器１の電解槽１２上方の装置の分解図を示す。電解槽１２３１の排気口は、電解槽１２３１の排気口上方の電解ガス接続チャネル１８３１に接続され、電解ガス接続チャネル１８３１は、復水ろ過装置１４へ水素を有するガスを排出するために用いられる。
【００１９】
図３を再び参照下さい；復水ろ過装置１４は、ガス経路の上面カバー１４１１、及びガス経路の下面カバー１４１２を有する。ガス経路の上面カバー１４１１は、ガス経路の下面カバー１４１２上に構成され、かつ、ガス経路の上面カバー１４１１が、ガス経路の下面カバー１４１２と結合されると、ガス経路１４１が形成される。
【００２０】
復水ろ過装置１４は、吸気口１４４及び排気口１４５を有し、吸気口１４４及び排気口１４５はそれぞれ、ガス経路１４１に接続される。水素を有するガスは、吸気口１４４を介してガス経路１４１に入る。排気口１４５は、ろ過された水素を有するガスを排出するために用いられる。水素を有するガスは、電解ガス接続チャネル１８３１を介して吸気口１４４に入る。ガス経路１４１内に構成されるろ過器１４２は、水素を有するガス内の不純物をろ過して除去し、ろ過された水素を有するガスを発生し、その後、ろ過された水素を有するガスは、排気口１４５を介して流出する。
【００２１】
ここで、ろ過器１４２によりろ過される不純物の１つは、電解質である。加えて、ろ過器１４２は、アスベストであってもよい。更に、分離構成要素１４３は、ガス経路１４１内のろ過器１４２の動作を制限することにより、ろ過器１４２が、吸気口１４４または排気口１４５に流入することを防止するために用いられる。本願発明の“制限する”という用語は、“固定する”と同義ではなく、ろ過器１４２の動作の程度を減少させることであることが理解されるべきである。実際の適用においては、ろ過器１４２は、複数のろ過膜を有するものとしもよく、各ろ過膜は、分離構成要素１４３により制限される。本実施形態において、復水ろ過装置１４は、ガス経路１４１内に構成される液化シート１４６を有し、更に、ガス経路１４１内に流入する水素を有するガスを液化する。
【００２２】
図６を参照下さい、図６は、本願発明の一実施形態におけるガス発生器１のガス経路の下面カバー１４１２の模式図を示す。本実施形態において、ガス経路の下面カバー１４１２は、経路基板１４１２２を有し、経路バリアシート１４３２は、経路基板１４１２２上に構成される。ガス経路の上面カバー１４１１が、ガス経路の下面カバー１４１２と結合されると、復水ろ過装置１４上で曲がりくねって分配されるガス経路１４１が形成される。更に、経路基板１４１２２及び分離構成要素１４３は、１つの工程により一体成形される。
【００２３】
図５を再び参照下さい；実施形態は、復水ろ過装置１４及び噴霧化装置１６間に接続された加湿装置１８を更に有し、加湿装置１８は、排気口１４５から受けるろ過された水素を有するガスを更に加湿及びろ過すると共に、ろ過された水素を有するガスを噴霧化装置１６へ排出するために用いられる。ここで、加湿装置１８は、加水孔１８１、液化（凝縮）ガス接続チャネル１８２、加湿タンク１８３、及び、加湿タンク１８４の上面カバーを有し、加湿タンク１８３が、加湿タンク１８４の上面カバーと結合されると、加湿空間が形成される。液化ガス接続チャネル１８２は、ろ過された水素を有するガスを加湿空間に入れるために、復水ろ過装置１４の排気口１４５、及び、加湿空間の間に接続される。加水孔１８１は、加湿用液を加湿空間内に追加するために用いられる。ここで、液化ガス接続チャネルの排気口は、ろ過された水素を有するガスを更にろ過して浄化するためのろ過網（フィルタスクリーン）を有するものとしてもよい。
【００２４】
噴霧化装置１６は、噴霧化振動子１６１、噴霧化室１６２、ろ過ガス接続チャネル１６３、及び健康に良いガス排気口１６４を有する。噴霧化室１６２は、噴霧溶液を収容するために用いられる。噴霧化振動子１６１は、噴霧化室１６２内の噴霧溶液を噴霧ガスに移すために用いられる。噴霧化室１６２は、噴霧ガスを、ろ過ガス接続チャネル１６３から入ってくるろ過された水素を有するガスと混合させて、健康に良いガスを発生するために用いられる。その後、健康に良いガス排気口１６４は、利用者が利用するための健康に良いガスを排出する。噴霧ガスは、水蒸気、噴霧溶液、揮発性精油、及びその何れかの組み合わせを含むグループから、選択することができる。更に、噴霧化装置１６は、利用者が吸気量を調節することができる様に、健康に良いガスの排出量を調節するためのガス流量弁を有するものとしてもよい。
【００２５】
上述の説明を要約すると、本願発明は、ガス発生器を提供することに重点を置くものである。本願発明のガス発生器において、電解槽により発生される水素を有するガスは、液化されて、復水ろ過装置により、電解質をろ過して除去され、その後、水素を有するガスは、人が呼吸するのに適した健康に良いガスを発生するために、噴霧化装置の発生する噴霧ガスと混合される。更に、本願発明のガス発生器は、復水ろ過装置及び噴霧化装置間に接続された加湿装置を有する。加湿装置は、更に、水素を有するガス内の不純物を除去し、人の呼吸により適した健康に良いガスを提供するために用いられる。
【００２６】
上述した実施例及び説明により、本願発明の特徴及び主旨は、恐らく十分に記載されている。更に重要なことに、本願発明は、本明細書に記載されている実施形態に限定されるものではない。当業者であれば、本願発明の教示内容を維持しつつ、上記装置について、多くの改良態様及び変形態様を採用可能であることを、容易に観察し得るであろう。従って、上述の開示内容は、添付の請求範囲の境界によってのみ制限される様に、解釈されるべきである。
【図１】
2018031070.tif 000003
【図２】
2018031070.tif 000004
【図３】
2018031070.tif 000005
【図４】
2018031070.tif 000006
【図５】
2018031070.tif 000007
【図６】
2018031070.tif 000008
【外国語明細書】
2018031070000001.pdf